(57)【特許請求の範囲】
【請求項１】
物干し枠とこれを吊下げ支持する吊下げ部材との間に、前記吊下げ部材を前記物干し枠の中心部又は略中心部に位置する中央吊下げ位置から横方向の一側方に偏倚した横吊下げ位置に変更自在に取付ける吊下げ位置変更手段が設けられている物干し器であって、
前記物干し枠における前記吊下げ部材の位置変更方向で相対向する両第１枠構成体のうち、前記吊下げ部材の横吊下げ位置側とは反対側に位置する一方の第１枠構成体には、当該第１枠構成体に沿う軸芯周りで枠内外方向に揺動自在な可動物干し杆の基端部が設けられ、前記可動物干し杆を前記物干し枠内に位置する枠内配置姿勢と前記物干し枠の外方に突出位置する枠外配置姿勢とに択一的に保持する姿勢保持手段が設けられ、前記可動物干し杆の先端部には、前記枠内配置姿勢において、他方の前記第１枠構成体に対して上方から脱着自在に係合する係合部が設けられている物干し器。
【請求項２】
前記物干し枠は、前記両第１枠構成体を各別に備えた一対の物干し枠体の基端部を前記吊下げ部材の位置変更方向に沿う軸芯周りで揺動自在に連結してなり、前記両物干し枠体を水平又は略水平方向に沿って展開させた展開姿勢と、前記両物干し枠体を互いに対面する状態で前記吊下げ部材側に近接させた折り畳み姿勢とに揺動切替自在に構成されているとともに、前記各物干し枠体には、前記吊下げ部材の位置変更方向に沿って物干し枠内を横断する１本又は複数本の前記物干し杆が設けられ、前記１本の物干し杆又は複数本の前記物干し杆の少なくとも一つが前記可動物干し杆に構成されている請求項１記載の物干し器。
【請求項３】
前記各物干し枠体には、前記可動物干し杆と、前記両第１枠構成体に固定された固定物干し杆とが設けられている請求項２記載の物干し器。
【請求項４】
前記可動物干し杆の基端部には、一方の前記第１枠構成体に対して回動自在に外嵌する揺動支点筒部が形成され、一方の前記第１枠構成体には、前記可動物干し杆の前記揺動支点筒部の両端面に対して一方の前記第１枠構成体の枠軸線方向の両側方から当接可能な一対の第１筒状規制部材が設けられている請求項１〜３のいずれか１項に記載の物干し器。
【請求項５】
前記物干し枠の他方の前記第１枠構成体には、前記可動物干し杆の前記係合部に対して他方の前記第１枠構成体の枠軸線方向の両側方から当接可能な一対の第２筒状規制部材が設けられている請求項３記載の物干し器。
【請求項６】
前記物干し枠には、前記両第１枠構成体と、当該両第１枠構成体の先端部間において前記吊下げ部材の位置変更方向に沿って配置される第２枠構成体と、前記第１枠構成体の先端部と前記第２枠構成体の端部とを嵌合連結する継手部材とが備えられ、一方の前記第１枠構成体に対する一方の前記継手部材の連結筒部が、前記両第１筒状規制部材の一方に構成されている請求項４記載の物干し器。
【請求項７】
前記物干し枠には、前記両第１枠構成体と、当該両第１枠構成体の先端部間において前記吊下げ部材の位置変更方向に沿って配置される第２枠構成体と、前記第１枠構成体の先端部と前記第２枠構成体の端部とを嵌合連結する継手部材とが備えられ、他方の前記第１枠構成体に対する他方の前記継手部材の連結筒部が、前記両第２筒状規制部材の一方に構成されている請求項５記載の物干し器。
【請求項８】
前記姿勢保持手段は、前記可動物干し杆を枠内配置姿勢と枠外配置姿勢とに択一的に保持する外部姿勢保持手段と内部姿勢保持手段との二重構造から構成されている請求項１〜７のいずれか１項に記載の物干し器。
【発明の詳細な説明】
【技術分野】
【０００１】
本発明は、屋外や屋内において洗濯物などの被干し物を干すために使用される物干し器に関する。詳しくは、物干し枠とこれを吊下げ支持する吊下げ部材との間に、前記吊下げ部材を前記物干し枠の中心部又は略中心部に位置する中央吊下げ位置から横方向の一側方に偏倚した横吊下げ位置に変更自在に取付ける吊下げ位置変更手段が設けられている物干し器に関する。
【背景技術】
【０００２】
この種の物干し器として、例えば、特許文献１に示すように、物干し枠を折り畳み式に構成してコンパクトに格納することができるものが提案されている。この折り畳み式の物干し枠では、一対の物干し枠体の基端部同士を、吊下げ部材の位置変更方向に沿う軸芯周りで揺動自在に枢支連結して、両物干し枠体を水平又は略水平方向に沿って略矩形の環状に展開させた展開姿勢と、両物干し枠体を互いに対面する状態で吊下げ部材側に近接させた折り畳み姿勢とに揺動切替自在に構成されている。
【０００３】
また、折り畳み式の物干し器では、各物干し枠体が、吊下げ部材の位置変更方向で相対向する両第１枠構成体と、当該両第１枠構成体の先端側部位同士を吊下げ部材の位置変更方向に沿って一体的に繋ぐ第２枠構成体とから略コの字状に構成され、各物干し枠体には、第２枠構成体と平行姿勢で物干し枠内を横断する複数本の物干し杆と、第１枠構成体と平行姿勢で物干し枠内を縦断する複数本の補強杆とが格子状の配置形態で一体形成されている。
さらに、各物干し枠体の第２枠構成体の下面の複数個所及び各物干し杆の下面の複数個所の各々には、被干し物を挾持状態で吊下げるピンチが取付けられている。
【０００４】
上述の折り畳み式の物干し器では、物干し枠と吊下げ部材との間に設けられる吊下げ位置変更手段が、各物干し枠体のコーナー部と吊下げ部材との間に設けられる連結杆の連結数の変更により吊下げ連結長さを変更する連結長さ変更手段から構成されている。
【先行技術文献】
【特許文献】
【０００５】
【特許文献１】特開２００３−２４６９５号公報
【発明の概要】
【発明が解決しようとする課題】
【０００６】
上述の物干し器では、物干し枠と吊下げ部材との間に設けられている吊下げ位置変更手段により、吊下げ部材が中央吊下げ位置に配置された吊下げ形態では、ベランダや庭等に設置された物干し竿や洗濯ロープ等に対して、物干し枠を水平又は略水平姿勢に維持した状態で安定的に掛止することができ、主として屋外干し形態として使用される。
また、吊下げ部材が横吊下げ位置に配置された吊下げ形態では、鴨居やタンスの引き出し、洗面場のタオル掛け等に対して、物干し枠を水平又は略水平姿勢に維持した状態で安定的に掛止することができ、主として屋内干し形態として便利に使用される。
【０００７】
しかし、吊下げ部材が横吊下げ位置に配置された屋内干し形態においては、物干し器の物干し枠が、吊下げ部材が掛止される掛止対象部位の直下に位置する壁面や引き出しの前面板等の直下固定表面に当接することにより、物干し枠が水平又は略水平姿勢に維持される。そのため、各物干し枠体の第２枠構成体の下面の複数個所及び各物干し杆の下面の複数個所の各々に設けられているピンチに被干し物を吊下げる場合、被干し物が直下固定表面に接触しないように、被干し物の大きさや吊下げ枚数等を考慮してピンチによる吊下げ位置を選択する必要があり、その考慮選択分だけ手間を要することになる。
しかも、物干し器の物干し枠内において複数のピンチで被干し物を吊下げるため、吊下げられた被干し物の隣接間隔が狭くなり、通風性の低下によって乾き時間が長くなる不都合がある。特に、吊下げ部材を横吊下げ位置に配置した屋内干し形態においては、吊下げ部材が掛止される掛止対象部位の直下に位置する直下固定表面に対して吊下げられた被干し物が近接するため、被干し物の乾き時間がより長くなる傾向にある。
【０００８】
この実情に鑑み、本発明の主たる課題は、屋外干し形態と屋内干し形態とに便利に使い分けることができるものでありながら、被干し物の大きさや吊下げ枚数等に応じて、物干し枠の枠内外空間を物干し空間として適宜使い分けながら効率良く乾かすことができ、しかも、そのための操作性も同時に改善することのできる物干し器を提供する点にある。
【課題を解決するための手段】
【０００９】
本発明による第１の特徴構成は、物干し枠とこれを吊下げ支持する吊下げ部材との間に、前記吊下げ部材を前記物干し枠の中心部又は略中心部に位置する中央吊下げ位置から横方向の一側方に偏倚した横吊下げ位置に変更自在に取付ける吊下げ位置変更手段が設けられている物干し器であって、
前記物干し枠における前記吊下げ部材の位置変更方向で相対向する両第１枠構成体のうち、前記吊下げ部材の横吊下げ位置側とは反対側に位置する一方の第１枠構成体には、当該第１枠構成体に沿う軸芯周りで枠内外方向に揺動自在な可動物干し杆の基端部が設けられ、前記可動物干し杆を前記物干し枠内に位置する枠内配置姿勢と前記物干し枠の外方に突出位置する枠外配置姿勢とに択一的に保持する姿勢保持手段設けられ、前記可動物干し杆の先端部には、前記枠内配置姿勢において、他方の前記第１枠構成体に対して上方から脱着自在に係合する係合部が設けられている点にある。
【００１０】
上記構成によれば、物干し器に複数の被干し物を吊下げる際、可動物干し杆が物干し枠内に位置する枠内配置姿勢では、吊下げられる複数の被干し物の隣接間隔が狭くなると予想される場合では、可動物干し杆を物干し枠の外方に突出位置する枠外配置姿勢に切替えることにより、吊下げられる複数の被干し物の隣接間隔を広くして通風性を高めることができる。
【００１１】
しかも、可動物干し杆の基端部が、物干し枠における吊下げ部材の横吊下げ位置側とは反対側に位置する一方の第１枠構成体に揺動自在に設けられているので、横吊下げ位置に配置された吊下げ部材を、引き出し等の掛止対象部位に掛止するだけで、揺動支点部となる可動物干し杆の基端部を、掛止対象部位から最も離れた切替操作の阻害要因の最も少ない外方側部位に配置することができる。
それ故に、横吊下げ位置に配置された吊下げ部材を掛止対象部位に掛止させる際、物干し器の向き姿勢を一々考慮する必要がなく、可動物干し杆を常に確実、容易に切替操作することができる。
【００１２】
したがって、屋外干し形態と屋内干し形態とに便利に使い分けることができるものでありながら、被干し物の大きさや吊下げ枚数等に応じて、物干し枠の枠内外空間を物干し空間として適宜使い分けながら効率良く乾かすことができる。しかも、横吊下げ位置に配置された吊下げ部材を引き出し等の掛止対象部位に掛止するだけで、揺動支点となる可動物干し杆の基端部を、掛止対象部位から最も離れた外方側部位に常に配置することができるので、可動物干し杆を常に確実、容易に切替操作することができる。
【００１３】
本発明による第２の特徴構成は、前記物干し枠は、前記両第１枠構成体を各別に備えた一対の物干し枠体の基端部を前記吊下げ部材の位置変更方向に沿う軸芯周りで揺動自在に連結してなり、前記両物干し枠体を水平又は略水平方向に沿って展開させた展開姿勢と、前記両物干し枠体を互いに対面する状態で前記吊下げ部材側に近接させた折り畳み姿勢とに揺動切替自在に構成されているとともに、前記各物干し枠体には、前記吊下げ部材の位置変更方向に沿って物干し枠内を横断する１本又は複数本の前記物干し杆が設けられ、前記１本の物干し杆又は複数本の前記物干し杆の少なくとも一つが前記可動物干し杆に構成されている点にある。
【００１４】
上記構成によれば、物干し枠を構成する一対の物干し枠体が、吊下げ部材の位置変更方向に沿う軸芯周りで揺動自在に連結されているので、物干し枠を折り畳み姿勢でコンパクトに格納することができる。しかも、横吊下げ位置に配置された吊下げ部材を、タンスの引き出し等の掛止対象部位に掛止する際、一方の物干し枠体が掛止周辺の障害物と干渉する場合には、一方の物干し枠体のみを折り畳み姿勢にして使用することができる。この片方使用形態においても、展開姿勢にある他方の物干し枠体に設けられている可動物干し杆を適宜枠内配置姿勢と枠外配置姿勢とに切替えて便利に使い分けることができる。
【００１５】
前記可動物干し杆の先端部には、前記枠内配置姿勢において、他方の前記第１枠構成体に対して上方から脱着自在に係合する係合部が設けられている。
【００１６】
上記構成によれば、可動物干し杆を枠内配置姿勢に切替えたとき、可動物干し杆の先端部に設けた係合部が他方の第１枠構成体に対して上方から係合して、可動物干し杆の両端部が両第１枠構成体に支持された両持ち支持形態となる。その結果、可動物干し杆を枠内配置姿勢に切替えたときの保形強度が向上するため、可動物干し杆が枠内配置姿勢にある形態での落下等による物干し器の変形・破損を抑制することができる。
本発明による第３の特徴構成は、前記各物干し枠体には、前記可動物干し杆と、前記両第１枠構成体に固定された固定物干し杆とが設けられている点にある。
【００１７】
本発明による第４の特徴構成は、前記可動物干し杆の基端部には、一方の前記第１枠構成体に対して回動自在に外嵌する揺動支点筒部が形成され、一方の前記第１枠構成体には、前記可動物干し杆の前記揺動支点筒部の両端面に対して一方の前記第１枠構成体の枠軸線方向の両側方から当接可能な一対の第１筒状規制部材が設けられている点にある。
【００１８】
上記構成によれば、物干し枠に対する被干し物の着脱操作力や物干し時の風圧等によって可動物干し杆に作用する枠軸線方向での外力を、当該可動物干し杆の揺動支点筒部の両端面と一方の第１枠構成体に設けた両第１筒状規制部材との当接によって受け止めることができ、可動物干し杆の揺動支点部を頑丈に構成することができる。しかも、両第１筒状規制部材側の当接面をガイド面にして可動物干し杆の揺動切替操作をスムーズに行うことができる。
【００１９】
本発明による第５の特徴構成は、前記物干し枠の他方の前記第１枠構成体には、前記可動物干し杆の前記係合部に対して他方の前記第１枠構成体の枠軸線方向の両側方から当接可能な一対の第２筒状規制部材が設けられている点にある。
【００２０】
上記構成によれば、物干し枠に対する被干し物の脱着操作力や物干し時の風圧等によって可動物干し杆に作用する枠軸線方向での外力を、当該可動物干し杆の先端部に設けた係合部の両端面と他方の前記第１枠構成体に設けられた一対の第２筒状規制部材との当接によって受け止めることができ、枠内配置姿勢にある可動物干し杆を頑丈に構成することができる。
【００２１】
本発明による第６の特徴構成は、前記物干し枠には、前記両第１枠構成体と、当該両第１枠構成体の先端部間において前記吊下げ部材の位置変更方向に沿って配置される第２枠構成体と、前記第１枠構成体の先端部と前記第２枠構成体の端部とを嵌合連結する継手部材とが備えられ、一方の前記第１枠構成体に対する一方の前記継手部材の連結筒部が、前記両第１筒状規制部材の一方に構成されている点にある。
【００２２】
上記構成によれば、物干し枠に対する被干し物の脱着操作力や物干し時の風圧等によって可動物干し杆に作用する枠軸線方向での外力を、当該可動物干し杆の揺動支点筒部の両端面と一方の第１枠構成体に設けた両第１筒状規制部材との当接によって受け止めることができる。このとき、両第１筒状規制部材の一方を、物干し枠の第１枠構成体と第２枠構成体とを連結する継手部材のうち、一方の前記第１枠構成体に対する一方の前記継手部材の連結筒部を利用して兼用構成してあるので、構造の簡素化と製作の容易化を図ることができる。
【００２３】
本発明による第７の特徴構成は、前記物干し枠には、前記両第１枠構成体と、当該両第１枠構成体の先端部間において前記吊下げ部材の位置変更方向に沿って配置される第２枠構成体と、前記第１枠構成体の先端部と前記第２枠構成体の端部とを嵌合連結する継手部材とが備えられ、他方の前記第１枠構成体に対する他方の前記継手部材の連結筒部が、前記両第２筒状規制部材の一方に構成されている点にある。
【００２４】
上記構成によれば、物干し枠に対する被干し物の脱着操作力や物干し時の風圧等によって可動物干し杆に作用する枠軸線方向での外力を、当該可動物干し杆の先端部に設けた係合部の両端面と他方の前記第１枠構成体に設けられた一対の第２筒状規制部材との当接によって受け止めることができる。このとき、両第２筒状規制部材の一方を、物干し枠の第１枠構成体と第２枠構成体とを連結する継手部材のうち、他方の前記第１枠構成体に対する他方の前記継手部材の連結筒部を利用して兼用構成してあるので、構造の簡素化と製作の容易化を図ることができる。
【００２５】
前記吊下げ部材を備えた中央支持部材の両端部に設けられた取付けボス部には、前記両物干し枠体の基端部に設けられた枢支連結部材が揺動自在に連結され、前記中央支持部材の前記両取付けボス部には、前記両物干し枠体の前記枢支連結部材に設けられた当たり部が揺動方向から当接して、前記両物干し枠体を展開姿勢に保持する展開姿勢規制部と、折り畳み姿勢にある前記両物干し枠体を起立姿勢で自立させるための接地部とが形成されている。
【００２６】
上記構成によれば、折り畳み姿勢にある両物干し枠体を展開姿勢に揺動操作したとき、
両物干し枠体の枢支連結部材に設けられた当たり部が、中央支持部材の両端部に設けられ
た取付けボス部の展開姿勢規制部に対して揺動方向から当接し、吊下げ部材を備えた中央
支持部材に対して両物干し枠体を展開姿勢に保持することができる。
また、両物干し枠体を折り畳み姿勢に揺動操作した状態では、中央支持部材の両取付け
ボス部に形成した接地部により、折り畳み姿勢にある両物干し枠体を起立姿勢で自立させ
ることができるので、非使用時における物干し器の格納姿勢を格納条件等に応じて起立又
は横倒し等に自由に選択することができる。
しかも、両物干し枠体の基端部の枢支連結部材を揺動自在に連結するための中央支持部
材の両端部の取付けボス部を利用して、この両取付けボス部に展開姿勢規制部及び接地部
を形成してあるので、両物干し枠体を展開姿勢及び起立姿勢に規制するための姿勢規制構
造を簡単且つコンパクトに構成することができる。
本発明による第８の特徴構成は、前記姿勢保持手段は、前記可動物干し杆を枠内配置姿勢と枠外配置姿勢とに択一的に保持する外部姿勢保持手段と内部姿勢保持手段との二重構造から構成されている点にある。
【図面の簡単な説明】
【００２７】
【図１】本発明の第１実施形態の物干し器の展開姿勢を示す全体の斜視図
【図２】物干し器の展開姿勢を示す全体の平面図
【図３】物干し器の展開姿勢を示す全体の側面図
【図４】物干し器の折り畳み姿勢を示す全体の側面図
【図５】物干し器の折り畳み姿勢を示す全体の縦断面図
【図６】可動物干し杆が枠外配置姿勢にあるときの全体の斜視図
【図７】中央支持部材と吊下げフック及び吊下げ位置変更手段の分解斜視図
【図８】中央支持部材及び吊下げフック及び吊下げ位置変更手段の要部の拡大分解断面図
【図９】物干し枠体の要部の底面図
【図１０】物干し枠体における可動物干し杆の揺動基端側の分解斜視図
【図１１】物干し枠体における可動物干し杆の先端側の分解斜視図
【図１２】可動物干し杆の姿勢保持手段を含む要部の分解斜視図
【発明を実施するための形態】
【００２８】
〔第１実施形態〕
図１〜図６は、被干し物の一例である洗濯物用の折り畳み式の物干し器を示す。この物干し器においては、吊下げ部材の一例である吊下げフックＡを備えた合成樹脂製の中央支持部材１の両端部に、矩形環状の物干し枠Ｂを構成する平面視コの字状又は略コの字状の一対の物干し枠体２の各基端部が、物干し枠Ｂの短辺方向に沿う水平な枠揺動軸芯（枠折畳み軸芯）Ｘ周りで揺動自在に枢着されている。
一対の物干し枠体２は、枠揺動軸芯Ｘ周りでの揺動操作により、水平又は略水平方向に沿って一直線状に連続する展開姿勢（図１〜図３参照）と、互いに鉛直方向に沿って対面する状態で吊下げフックＡ側に起立させた上下方向に沿う折り畳み姿勢（図４、図５参照）とに切替えることができる。
【００２９】
中央支持部材１は、物干し枠Ｂの短辺方向でもある長手方向の中央側が上方に突出するアーチ状で、且つ、横断面形状が縦長断面形状に成形され、この中央支持部材１と吊下げフックＡとの間には、吊下げフックＡを物干し枠Ｂの中心部又は略中心部に位置する中央吊下げ位置から横方向の一側方に偏倚した複数の横吊下げ位置に変更自在に取付ける吊下げ位置変更手段Ｃが設けられている。
【００３０】
次に、吊下げフックＡの吊下げ位置変更手段Ｃの構成について詳述する。
図１、図３、図７、図８に示すように、中央支持部材１の板厚方向（物干し枠Ｂの長辺方向）の両側面には、当該中央支持部材１の長手方向中央側ほど上方に位置する円弧状のガイド経路を構成するガイド部１０が形成されている。この中央支持部材１のガイド部１０には、吊下げフックＡの取付け基台１１が、円弧状ガイド経路の高位から低位への移動に連れて吊下げフックＡの姿勢が鉛直姿勢から次第に大きな傾斜角度の傾斜姿勢に傾動する状態で移動自在に取付けられ、中央支持部材１と取付け基台１１との間には、取付け基台１１を円弧状ガイド経路の複数位置で選択的に係止保持する位置係止手段Ｄが設けられている。
【００３１】
ガイド部１０は、図３、図７に示すように、円弧状ガイド経路での吊下げフックＡの位置変更領域Ｒ１と中央支持部材１に対する吊下げフックＡの取付け基台１１の装着領域Ｒ２とを一部重複する状態で形成可能な長さに構成されている。このガイド部１０の装着領域Ｒ２において装着された吊下げフックＡの取付け基台１１の移動範囲をガイド部１０の位置変更領域Ｒ１に規制する移動範囲規制手段Ｅが設けられている。
ガイド部１０の位置変更領域Ｒ１は、中央支持部材１の長手方向中央側から一端側に形成されている。換言すれば、中央支持部材１の長手方向一端側から長手方向中央位置よりも他端側に少し越えた部位までの範囲に形成されている。
また、ガイド部１０の装着領域Ｒ２は、中央支持部材１の長手方向中央側から他端側に形成されている。換言すれば、中央支持部材１の長手方向他端側から長手方向中央位置よりも少し手前の範囲に形成されている。
【００３２】
ガイド部１０は、中央支持部材１の両側面に円弧状ガイド経路に沿って弧状に湾曲する長円環状形状に突出形成された環状突起１０ａと、この環状突起１０ａで区画形成された円弧状ガイド溝１０ｂとから構成されている。
【００３３】
図１、図７、図８に示すように、吊下げフックＡの合成樹脂製の取付け基台１１の下側部は、中央支持部材１に対して上方から外装可能な側面視略逆Ｔ字状の二股状下側部１１Ａに構成され、この二股状下側部１１Ａの相対向する内側面の長手方向中央位置には、両ガイド部１０の円弧状ガイド溝１０ｂに沿って摺動自在に嵌合する円弧状の嵌合摺動部１１Ｂが内方に張り出す状態で一体形成されている。
【００３４】
移動範囲規制手段Ｅを構成するに、図３、図７、図８に示すように、中央支持部材１の円弧状ガイド溝１０ｂの底面のうち、中央支持部材１の長手方向一端側から長手方向中央位置よりも他端側に少し越えた部位までの範囲には、取付け基台１１の移動範囲を位置変更領域Ｒ１に規制するための円弧状の規制長孔１２が形成されている。
また、取付け基台１１の二股状下側部１１Ａの長手方向中央位置及びこれの内側面に一体形成されている嵌合摺動部１１Ｂには、規制長孔１２の内周面に沿って摺動自在な鍔付きの連結筒ピン１３と当該連結筒ピン１３を抜け止め固定する鍔付きの抜止めピン１４とを板厚方向（物干し枠Ｂの長辺方向）の両側方から装着するための連結孔１５が貫通形成されている。
【００３５】
そして、取付け基台１１の嵌合摺動部１１Ｂを中央支持部材１のガイド部１０の円弧状ガイド溝１０ｂに嵌合させた状態で、当該取付け基台１１の連結孔１５と取付け基台１１の規制長孔１２とに対して、連結筒ピン１３と抜止めピン１４とを板厚方向の両側方から嵌合装着することにより、吊下げフックＡの取付け基台１１の移動範囲をガイド部１０の位置変更領域Ｒ１に規制した状態で中央支持部材１に取付けることができる。
【００３６】
位置係止手段Ｄには、図３、図７、図８に示すように、中央支持部材１の位置変更領域Ｒ１に相当する部位に一体形成された上方に延びる板状の延長板部２０と、当該延長板部２０の板厚方向の両側面における複数の設定係止位置（当該実施形態では６箇所）に形成された上方及び板厚方向の外方側に開口する係止凹部２１と、係止凹部２１に対して選択的に上方から自重で係合可能な状態で取付け基台１１に設けられる係止部材２２とが主要構成として備えられている。
取付け基台１１の二股状下側部１１Ａには、係止部材２２を係合操作位置と係合解除操作位置とに亘って移動案内する上下方向に長い長円形状の操作ガイド部２３が形成されている。
【００３７】
係止部材２２は、図７、図８に示すように、中央係止体２２Ａと一対の抜止め体２２Ｂとから構成されている。
一方の中央係止体２２Ａには、中央支持部材１の延長板部２０のうち、それの板厚方向両側面の係止凹部２１間に位置する薄肉板部分２０ａに対して上方から摺動可能な状態で嵌合する嵌合溝２２ａと、長辺方向の両側に突出する長円形状の連結筒部２２ｂとが備えられている。
他方の各抜止め体２２Ｂには、中央係止体２２Ａの両連結筒部２２ｂの上下両側に形成された係止凹部２２ｃに対して板厚方向から係合する係止爪２２ｄと、連結筒部２２ｂに内嵌する連結突起２２ｅとが備えられている。
両抜止め体２２Ｂの外側面には、自重に抗して係合解除操作位置に持ち上げ操作するための指操作凹部２２ｆが形成されている。
操作ガイド部２３は、図８に示すように、中央係止体２２Ａと両抜止め体２２Ｂとで形成される長円軸部が嵌通する小径長孔２３ａと、前記両抜止め体２２Ｂの鍔部２２ｇが摺動自在に入り込む大径溝部２３ｂとから構成されている。
【００３８】
そして、図１、図３に示すように、中央支持部材１の延長板部２０に形成されている係止凹部２１のうち、中央支持部材１の長手方向中央位置の係止凹部２１に対して係止部材２２を係合させた状態では、吊下げフックＡが物干し枠Ｂの中心部又は略中心部に位置する中央吊下げ位置において鉛直又は略鉛直方向に沿う鉛直吊下げ姿勢に係止保持される。
この鉛直吊下げ姿勢での吊下げ形態では、ベランダや庭等に設置された物干し竿や洗濯ロープ等に対して、物干し枠Ｂを水平又は略水平姿勢に維持した状態で安定的に掛止することができ、主として屋外干し形態として使用される。
【００３９】
また、図６に示すように、中央支持部材１の延長板部２０に形成されている係止凹部２１のうち、中央支持部材１の長手方向一端部（最低位側）の係止凹部２１に対して係止部材２２を係合させた状態では、吊下げフックＡが円弧状ガイド経路の最高位から最低位に移動した最大横吊下げ位置に最大傾斜姿勢で係止保持される。
吊下げフックＡが最大横吊下げ位置に配置された吊下げ形態では、引き出しの前面板の上端部やドアの上端部等に対して、物干し枠Ｂを水平又は略水平姿勢或いは水平にできるだけ近い姿勢に極力維持した状態で吊下げフックＡの副フック部１６Ｂを安定的に掛止することができ、主として屋内干し形態として便利に使用される。
この吊下げ状態では、物干し枠Ｂの両物干し枠体２における一方の第１枠構成体２Ａが、副フック部１６Ｂが掛止される掛止対象部位の直下に位置する引き出しの前面やドアの前面等に当接することにより、物干し枠Ｂが極力水平又は略水平姿勢或いは水平にできるだけ近い姿勢に維持される。
【００４０】
尚、洗面場のタオル掛け等のように、吊下げフックＡの主フック部１６Ａ又は副フック部１６Ｂが掛止される掛止対象部位の直下位置と、物干し枠Ｂの両物干し枠体２における一方の第１枠構成体２Ａが当接する壁面等の直下固定表面との間が水平方向で離間する場合には、この離間距離に応じて、中央支持部材１の長手方向中央位置の係止凹部２１と中央支持部材１の長手方向一端部の係止凹部２１との間に位置する複数の横吊下げ位置用の係止凹部２１を選択する。
【００４１】
次に、吊下げフックＡの取付け構造について説明する。
図３、図７、図８に示すように、取付け基台１１の上側部には、中央支持部材１の長手方向に対して直行する方向（物干し枠Ｂの長辺方向）に貫通する長円形の貫通孔１１Ｃが形成されている。
また、取付け基台１１の上端部には、吊下げフックＡのフック部材１６における下端側の嵌合軸部１６Ｃを回転自在に嵌合支持するための円筒状のボス部１１Ｄが、それの下側部分を長円形の貫通孔１１Ｃ内に突出させた状態で一体形成されている。
吊下げフックＡの合成樹脂製のフック部材１６には、逆Ｕの字状に構成された主フック部１６Ａと、当該主フック部１６Ａの背面に一体形成された逆Ｌ字状の副フック部１６Ｂとが備えられている。
【００４２】
次に、物干し枠Ｂの両物干し枠体２の構成について詳述する。
図１、図２に示すように、両物干し枠体２の各々は、吊下げフックＡの位置変更方向（物干し枠Ｂの短辺方向）で相対向する両第１枠構成体２Ａと、当該両第１枠構成体２Ａの先端部間において吊下げフックＡの位置変更方向に沿って配置される第２枠構成体２Ｂとから構成されている。
各第１枠構成体２Ａは、複数の枠構成部材からなる。具体的には、中央支持部材１の両端部に形成された取付けボス部３１に対して枠揺動軸芯Ｘ周りで揺動自在に枢支連結される合成樹脂製の枢支連結部材３２と、第１枠構成体２Ａの先端部と第２枠構成体２Ｂの端部とを嵌合連結する合成樹脂製の継手部材３０のうち、物干し枠Ｂの長辺方向に沿う第１連結筒部３０Ａと、枢支連結部材３２における物干し枠Ｂの長辺方向に沿う連結筒部３２Ａと継手部材３０の第１連結筒部３０Ａとに亘って嵌合接続されるアルミニウム製の第１枠用パイプ３３とから構成されている。
第２枠構成体２Ｂも複数の枠構成部材からなる。具体的には、両継手部材３０における物干し枠Ｂの短辺方向に沿う第２連結筒部３０Ｂと、両第２連結筒部３０Ｂに亘って嵌合接続されるアルミニウム製の第２枠用パイプ３４とから構成されている。
【００４３】
この第２枠用パイプ３４の内側面には、図１、図２、図９、図１１に示すように、第２枠用パイプ３４のパイプ軸芯（枠軸芯）を通る水平面に沿って外方に突出するフランジ部３４ａが一体形成され、このフランジ部３４ａの長手方向複数箇所（当該実施形態では五箇所）には、ピンチ５の吊下げ連結体６を揺動自在に吊下げ状態で係止保持するピンチ取付け孔３５が形成されている。
両継手部材３０の第２連結筒部３０Ｂには、図９、図１１に示すように、第２枠用パイプ３４のフランジ部３４ａの端部がパイプ軸芯方向（枠軸芯方向）から嵌合するフランジ嵌合部３０Ｃが一体形成されている。このフランジ嵌合部３０Ｃに第２枠用パイプ３４のフランジ部３４ａの端部を嵌合させることによって、両継手部材３０の第２連結筒部３０Ｂに対して第２枠用パイプ３４の回転が阻止された回り止め状態となり、洗濯物等の荷重に抗して第２枠用パイプ３４のフランジ部３４ａを水平状態に維持することができる。
【００４４】
図１〜図５に示すように、中央支持部材１の一端側の取付けボス部３１と両物干し枠体２の一端側の両枢支連結部材３２の連結ボス部３２Ｂとが枠揺動軸芯Ｘ方向で重合配置され、且つ、中央支持部材１の他端側の取付けボス部３１と両物干し枠体２の他端側の両枢支連結部材３２の連結ボス部３２Ｂとが枠揺動軸芯Ｘ方向で重合配置され、重合状態にある各組の取付けボス部３１と両枢支連結部材３２の連結ボス部３２Ｂとが枢支ピン３６で枢支連結されている。
中央支持部材１の両取付けボス部３１には、両物干し枠体２の枢支連結部材３２の連結筒部３２Ａに設けられた当たり部３７が揺動方向から当接する展開姿勢規制面３８ａを備え、且つ、当たり部３７と展開姿勢規制面３８ａとが当接した状態では両物干し枠体２を自重に抗して展開姿勢に保持する厚肉の展開姿勢規制部３８が一体形成されている。
当たり部３７は、連結筒部３２Ａの直径方向に沿う当接板部３７ａと、連結筒部３２Ａのパイプ軸芯方向（枠軸芯方向）に沿う補強板部３７ｂとをＬ字状に連続する状態で一体形成されている。
展開姿勢規制部３８は、取付けボス部３１の下部側を枠揺動軸芯Ｘ方向視において略Ｄ字状に延長して形成される厚肉部から構成され、この厚肉部である展開姿勢規制部３８のパイプ軸芯方向（枠軸芯方向）の両側面が、当たり部３７の当接板部３７ａと揺動方向から当接する偏平な前述の前述の展開姿勢規制面３８ａに構成されている。
さらに、中央支持部材１の両取付けボス部３１には、図５に示すように、折り畳み姿勢にある両物干し枠体２を起立姿勢で自立させるための接地部３９が形成されている。
この接地部３９は、取付けボス部３１の下側部から枠揺動軸芯Ｘ方向に沿って三角形状の補助接地体３９ａを一体的に延出して構成され、取付けボス部３１の下面と両補助接地体３９ａの下面とをもって一連の偏平な接地面３９ｂが形成されている。
また、図５に示すように、両枢支連結部材３２の連結ボス部３２Ｂの端部には、一対の物干し枠体２が水平又は略水平方向に沿って一直線状に連続する展開姿勢に切替えられたとき、枠揺動軸芯Ｘ周りでの揺動方向から当接して展開姿勢に保持するストッパー面３２ａが形成されている。
【００４５】
図１、図２、図４に示すように、各物干し枠体２の両第１枠構成体２Ａの第１枠用パイプ３３間には、両物干し枠体２の内側面で区画形成される内側空間Ｓを長辺方向に略三分割する二位置において、吊下げフックＡの位置変更方向（物干し枠Ｂの短辺方向）に沿って物干し枠Ｂ内を横断する二本の物干し杆４０、４１が設けられている。
両物干し杆４０、４１の各々は、第２枠用パイプ３４と同一断面形状のアルミニウム製のパイプから構成され、両物干し杆４０、４１の枠揺動軸芯Ｘ側の側面には、パイプ軸芯（杆軸芯）を通る水平面に沿って外方に突出するフランジ部４０ａ、４１ａが一体形成されている。
各フランジ部４０ａ、４１ａの長手方向複数箇所（当該実施形態では五箇所）には、ピンチ５の吊下げ連結体６を揺動自在に吊下げ状態で係止保持するピンチ取付け孔３５が形成されている。
ピンチ５は、洗濯物を挾持する揺動開閉自在な一対の挾持部材５Ａと、両挾持部材５Ａを挾持側に付勢する円弧状のバネ線材５Ｂとからなり、バネ線材５Ｂに金属線材製の吊下げ連結体６が移動自在に取付けられている。
尚、物干し器用のピンチ５としては、従来から種々の形態のものが存在し、そのいずれも好適に使用することができる。
【００４６】
各物干し枠体２の内側空間Ｓは、図１、図２、図４に示すように、第２枠構成体２Ｂとこれに近接配置される外方側の物干し杆４０との間に区画形成される第１区画空間Ｓ１と、両物干し杆４０、４１間に区画形成される第２区画空間Ｓ２と、枠揺動軸芯Ｘ側に近接配置される内方側の物干し杆４１から中央支持部材１の両取付けボス部３１の接地面３１ａを通る線分との間に区画形成される第３区画空間Ｓ３とからなる。
第１区画空間Ｓ１〜第３区画空間Ｓ３における各長辺方向での間隔は、ピンチ５と吊下げ連結体６との垂下状態での全長よりも大なる間隔に構成されている。
そのため、両物干し枠体２を折り畳み姿勢に切替えたとき、第２枠用パイプ３４のフランジ部３４ａに取付けられたピンチ５は第１区画空間Ｓ１内に入り込んで格納される。また、第２枠構成体２Ｂ側に近接位置する外方側の物干し杆４０のフランジ部４０ａに取付けられたピンチ５は第２区画空間Ｓ２内に入り込んで格納される。さらに、枠揺動軸芯Ｘ側に近接配置される内方側の物干し杆４１のフランジ部４１ａに取付けられたピンチ５は第３区画空間Ｓ３内に入り込んで格納される。
【００４７】
第２枠構成体２Ｂ側に近接位置する外方側の物干し杆４０は、図１、図２、図６に示すように、各物干し枠体２の両第１枠構成体２Ａのうち、吊下げフックＡの横吊下げ位置側とは反対側に位置する一方の第１枠構成体２Ａの第１枠用パイプ３３を揺動支点部にして、当該第１枠構成体２Ａに沿う軸芯周りで枠内外方向に揺動自在な可動物干し杆に構成されている。
そのため、物干し器に複数の洗濯物を吊下げる際、可動物干し杆４０が物干し枠Ｂ内に位置する枠内配置姿勢では、吊下げられる複数の洗濯物の隣接間隔が狭くなると予想される場合では、可動物干し杆４０を物干し枠Ｂの外方に突出位置する枠外配置姿勢に切替えることにより、吊下げられる複数の洗濯物の隣接間隔を広くして通風性を高めることができる。
しかも、可動物干し杆４０の基端部が、物干し枠Ｂにおける吊下げフックＡの横吊下げ位置側とは反対側に位置する一方の第１枠構成体２Ａに揺動自在に設けられているので、横吊下げ位置に配置された吊下げフックＡを、引き出しの前面板の上端部やドアの上端部等の掛止対象部位に掛止するだけで、揺動支点部となる可動物干し杆４０の基端部を、掛止対象部位から最も離れた切替操作の阻害要因の最も少ない外方側部位に配置することができる。
それ故に、横吊下げ位置に配置された吊下げフックＡを掛止対象部位に掛止させる際、物干し器の向き姿勢を一々考慮する必要がなく、可動物干し杆４０を常に確実、容易に切替操作することができる。
【００４８】
また、図１０、図１２に示すように、可動物干し杆４０を物干し枠Ｂの各物干し枠体２内に水平又は略水平に位置する枠内配置姿勢と物干し枠Ｂの外方に水平又は略水平に突出位置する枠外配置姿勢とに択一的に保持する姿勢保持手段Ｆが設けられているとともに、可動物干し杆４０の先端部には、図９、図１１に示すように、枠内配置姿勢において、他方の第１枠構成体２Ａの第１枠用パイプ３３に対して上方から脱着自在に係合する合成樹脂製の係合部４２が設けられている。
そのため、可動物干し杆４０を枠内配置姿勢に切替えたとき、可動物干し杆４０の先端部に設けた係合部４２が他方の第１枠構成体２Ａに対して上方から係合して、可動物干し杆４０の両端部が両第１枠構成体２Ａに支持された両持ち支持形態となる。その結果、可動物干し杆４０を枠内配置姿勢に切替えたときの保形強度が向上するため、可動物干し杆４０が枠内配置姿勢にある形態での落下等による物干し器の変形・破損を抑制することができる。
【００４９】
可動物干し杆４０の基端部には、図９、図１０、図１２に示すように、平面視略Ｔ字状の合成樹脂製の第１揺動連結部材４３が設けられている。この第１揺動連結部材４３には、一方の第１枠構成体２Ａの第１枠用パイプ３３が摺接状態で相対回動自在に貫通接続する揺動支点筒部４３Ａと、可動物干し杆４０の基端部がパイプ軸芯方向（杆軸芯方向）から内嵌接続する第１杆連結筒部４３Ｂとが備えられている。
第１杆連結筒部４３Ｂには、可動物干し杆４０のフランジ部４０ａの基端部がパイプ軸芯方向（枠軸芯方向）から嵌合するフランジ嵌合部４３Ｃが一体形成されている。このフランジ嵌合部４３Ｃに可動物干し杆４０のフランジ部４０ａの端部を嵌合させることによって、第１杆連結筒部４３Ｂに対して可動物干し杆４０の回転が阻止された回り止め状態となり、洗濯物等の荷重に抗しての回転が阻止された回り止め状態となり、洗濯物等の荷重に抗して可動物干し杆４０のフランジ部４０ａを水平状態に維持することができる。
【００５０】
また、図９、図１０に示すように、一方の第１枠構成体２Ａの第１枠用パイプ３３には、第１揺動連結部材４３の揺動支点筒部４３Ａの両端面に対して一方の第１枠構成体２Ａの枠軸線方向の両側方から当接可能な一対の第１筒状規制部材４４、４５が設けられている。
そのため、物干し枠Ｂに対する洗濯物の着脱操作力や物干し時の風圧等によって可動物干し杆４０に作用する枠軸線方向での外力を、当該可動物干し杆４０の揺動支点筒部４３Ａの両端面と一方の第１枠構成体２Ａに設けた両第１筒状規制部材４４、４５との当接によって受け止めることができ、可動物干し杆４０の揺動支点部を頑丈に構成することができる。しかも、両第１筒状規制部材４４、４５側の当接面をガイド面にして可動物干し杆４０の揺動切替操作をスムーズに行うことができる。
【００５１】
さらに、両第１筒状規制部材４４、４５のうち、第２枠構成体２Ｂ側に配置される一方（外方側）の第１筒状規制部材４４は、物干し枠体２の一方の第１枠構成体２Ａと第２枠構成体２Ｂとを繋ぐ継手部材３０のうち、一方の第１枠構成体２Ａの第１枠用パイプ３３が枠軸芯方向から嵌合接続する第１連結筒部３０Ａを揺動支点筒部４３Ａの一端面にまで延長して、揺動支点筒部４３Ａの一端面に接触又は近接する継手部材３０の第１連結筒部３０Ａの延長筒部分をもって兼用構成されている。
上述のように、第２枠構成体２Ｂ側に近接配置される一方（外方側）の第１筒状規制部材４４を、物干し枠Ｂの第１枠構成体２Ａと第２枠構成体２Ｂとを連結する継手部材３０の第１連結筒部３０Ａを利用して兼用構成することにより、構造の簡素化と製作の容易化を図ることができる。
【００５２】
また、枠揺動軸芯Ｘ側に配置される他方（内方側）の第１筒状規制部材４５は、揺動支点筒部４３Ａの他端面に接触又は近接する状態で第１枠用パイプ３３に外嵌固定された合成樹脂製の筒状体から構成されている。
【００５３】
係合部４２は、図９、図１０に示すように、可動物干し杆４０の先端部がパイプ軸芯方向（枠軸芯方向）から内嵌接続する第２杆連結筒部４２Ａに、他方の第１枠構成体２Ａの第１枠用パイプ３３の外周面における半周面（中心角１８０度）以上の領域に上方から挾持状態で係合する拡径変形可能な略半円弧状の係合挾持体４２Ｂを一体形成して構成されている。
この係合挾持体４２Ｂの先端側には、当該係合挾持体４２Ｂを弾性復元力に抗して拡径変形しながら挾持解除する操作摘み４２Ｃが、第１枠用パイプ３３の外周面よりも外方下方側に突出する状態一体形成されている。
さらに、第２杆連結筒部４２Ａには、可動物干し杆４０のフランジ部４０ａの先端部がパイプ軸芯方向（枠軸芯方向）から嵌合するフランジ嵌合部４２Ｄが一体形成されている。このフランジ嵌合部４２Ｄに可動物干し杆４０のフランジ部４０ａの先端部を嵌合させることによって、可動物干し杆４０に対して係合部４２の第２杆連結筒部４２Ａが回り止め状態となり、係合部４２の係合挾持体４２Ｂを所期の係合姿勢に確実に維持することができる。
【００５４】
また、図９、図１１に示すように、他方の第１枠構成体２Ａの第１枠用パイプ３３には、係合部４２の係合挾持体４２Ｂの両端面に対して他方の第１枠構成体２Ａの枠軸線方向の両側方から当接可能な一対の第２筒状規制部材４７、４８が設けられている。
そのため、物干し枠Ｂに対する洗濯物の脱着操作力や物干し時の風圧等によって可動物干し杆４０に作用する枠軸線方向での外力を、可動物干し杆４０の先端部に設けた係合部４２の両端面と他方の第１枠構成体２Ａに設けられた一対の第２筒状規制部材４７、４８との当接によって受け止めることができ、枠内配置姿勢にある可動物干し杆４０を頑丈に構成することができる。
【００５５】
さらに、第２筒状規制部材４７、４８のうち、第２枠構成体２Ｂ側に配置される一方（外方側）の第２筒状規制部材４７は、物干し枠体２の他方の第１枠構成体２Ａと第２枠構成体２Ｂとを繋ぐ継手部材３０のうち、他方の第１枠構成体２Ａの第１枠用パイプ３３が枠軸芯方向から嵌合接続する第１連結筒部３０Ａを係合部４２の係合挾持体４２Ｂの一端面にまで延長して、係合挾持体４２Ｂの一端面に接触又は近接する継手部材３０の第１連結筒部３０Ａの延長筒部分をもって兼用構成されている。
上述のように、第２枠構成体２Ｂ側に近接配置される一方（外方側）の第２筒状規制部材４７を、物干し枠Ｂの第１枠構成体２Ａと第２枠構成体２Ｂとを連結する継手部材３０の第１連結筒部３０Ａを利用して兼用構成することにより、構造の簡素化と製作の容易化を図ることができる。
【００５６】
また、枠揺動軸芯Ｘ側に配置される他方（内方側）の第２筒状規制部材４８は、揺動支点筒部４３Ａの他端面に接触又は近接する状態で第１枠用パイプ３３に外嵌固定された合成樹脂製の筒状体から構成されている。
【００５７】
姿勢保持手段Ｆは、図１０、図１２に示すように、可動物干し杆４０を枠内配置姿勢と枠外配置姿勢とに択一的に保持する外部姿勢保持手段Ｆ１と内部姿勢保持手段Ｆ２との二重構造から構成されている。
外部姿勢保持手段Ｆ１を構成するに、第１揺動連結部材４３の揺動支点筒部４３Ａの外面と外方側の第１筒状規制部材４４の外面との回動方向で相対向する部位、及び、第１揺動連結部材４３の揺動支点筒部４３Ａの外面と内方側の第１筒状規制部材４５の外面との回動方向で相対向する部位には、可動物干し杆４０が物干し枠Ｂの外方に水平又は略水平に突出位置する枠外配置姿勢にまで揺動操作されたとき、及び、各物干し枠体２内に水平又は略水平に横断する枠内配置姿勢にまで揺動操作されたときに互いに回動方向から当接するストッパー部（揺動規制部）５０、５１及び５０、５２が形成されている。
第１揺動連結部材４３の揺動支点筒部４３Ａのストッパー部５０は、外方側の第１筒状規制部材４４の端部及び内方側の第１筒状規制部材４５の端部と重合する状態にまで枠軸芯方向に沿って両側方に突出する厚肉の突条部に形成されている。
また、外方側の第１筒状規制部材４４のストッパー部５１及び内方側の第１筒状規制部材４５のストッパー部５２も、第１揺動連結部材４３の揺動支点筒部４３Ａの端部と重合する状態にまで枠軸芯方向に沿って突出する厚肉の突起部に形成されている。
【００５８】
そして、図１０、図１２に示すように、第１揺動連結部材４３の揺動支点筒部４３Ａのストッパー部５０における回動方向一端面の両ストッパー面（回動規制面）５０ａと外方側の第１筒状規制部材４４のストッパー部５１における回動方向一端面のストッパー面（回動規制面）５１ａ及び内方側の第１筒状規制部材４５のストッパー部５２における回動方向一端面のストッパー面５２ａ（回動規制面）との回動方向からの当接により、可動物干し杆４０を枠外配置姿勢に保持する構成にしてある。
また、図９、図１０、図１２に示すように、第１揺動連結部材４３の揺動支点筒部４３Ａのストッパー部５０における回動方向他端面の両ストッパー面（回動規制面）５０ｂと外方側の第１筒状規制部材４４のストッパー部５１における回動方向他端面のストッパー面（回動規制面）５１ｂ及び内方側の第１筒状規制部材４５のストッパー部５２における回動方向他端面のストッパー面（回動規制面）５２ｂとの回動方向からの当接により、可動物干し杆４０を枠内配置姿勢に保持する構成にしてある。
【００５９】
尚、可動物干し杆４０の枠内配置姿勢は、可動物干し杆４０の先端部に設けた係合部４２の係合挾持体４２Ｂと他方の第１枠構成体２Ａの第１枠用パイプ３３との係合によっても姿勢保持する構成にしてある。
【００６０】
内部姿勢保持手段Ｆ２を構成するに、図１０、図１２に示すように、第１揺動連結部材４３の揺動支点筒部４３Ａの両端部には、外方側の第１筒状規制部材４４の端部開口部及び内方側の第１筒状規制部材４５の端部開口部内に入り込み可能な状態で枠軸芯方向に沿って両側方に突出する円弧状の揺動規制部（ストッパー部）５３が突出形成されている。
また、外方側の第１筒状規制部材４４の内周面の端部側部位及び内方側の第１筒状規制部材４５の内周面の端部側部位には、第１揺動連結部材４３の揺動支点筒部４３Ａの両端側の揺動規制部５３が枠軸芯方向から嵌合され、且つ、可動物干し杆４０の揺動角度範囲に対応する中心角度範囲での揺動規制部５３の相対回動を許容する揺動規制溝５４、５５が形成されている。
そして、可動物干し杆４０が枠外配置姿勢（図６参照）に揺動すると、揺動支点筒部４３Ａの両端部の揺動規制部５３における回動方向一端面の回動規制面（ストッパー面）５３ａが、外方側の第１筒状規制部材４４の揺動規制溝５４における回動方向一端面の回動規制面（ストッパー面）５４ａ及び内方側の第１筒状規制部材４５の揺動規制溝５５における回動方向一端面の回動規制面（ストッパー面）５５ａとが回動方向から当接し、可動物干し杆４０が枠外配置姿勢に保持される。
また、可動物干し杆４０が枠内配置姿勢（図１参照）に揺動すると、揺動支点筒部４３Ａの両端部の揺動規制部５３における回動方向他端面の回動規制面（ストッパー面）５３ｂが、外方側の第１筒状規制部材４４の揺動規制溝５４における回動方向他端面の回動規制面（ストッパー面）５４ｂ及び内方側の第１筒状規制部材４５の揺動規制溝５５における回動方向他端面の回動規制面（ストッパー面）５５ａとが回動方向から当接し、可動物干し杆４０が枠内配置姿勢に保持される。
【００６１】
枠揺動軸芯Ｘ側に近接配置される内方側の物干し杆４１は、図２、図９に示すように、物干し枠体２に固定された固定物干し杆に構成されている。内方側の固定物干し杆４１の両端部には、平面視略Ｔ字状の合成樹脂製の第２揺動連結部材６０が嵌合装着されている。
両第２揺動連結部材６０の各々は、第１枠構成体２Ａの第１枠用パイプ３３が摺接状態で貫通接続する固定連結筒部６０Ａに、固定物干し杆４１の端部がパイプ軸芯方向（杆軸芯方向）から内嵌接続する第２杆連結筒部６０Ｂを一体形成して構成されている。
また、各第２揺動連結部材６０の第２杆連結筒部６０Ｂには、固定物干し杆４１のフランジ部４１ａの端部がパイプ軸芯方向（杆軸芯方向）から嵌合するフランジ嵌合部６０Ｃが一体形成されている。このフランジ嵌合部６０Ｃに固定物干し杆４１のフランジ部４１ａの端部を嵌合させることによって、第１枠構成体２Ａの第１枠用パイプ３３に対して固定物干し杆４１の回転が阻止された回り止め状態となり、洗濯物等の荷重に抗して固定物干し杆４１のフランジ部４１ａを水平状態に維持することができる。
【００６２】
尚、上述の実施形態では、各物干し枠体２の両第１枠構成体２Ａの間に設けた二本の物干し杆４０、４１のうち、外方側の物干し杆４０を枠内外方向に揺動自在な可動物干し杆に構成し、内方側の物干し杆４１を揺動不能な固定物干し杆に構成したが、外方側の物干し杆４０を固定物干し杆に構成し、内方側の物干し杆４１を可動物干し杆に構成してもよい。
また、各物干し枠体２の両第１枠構成体２Ａの間に設けた二本の物干し杆４０、４１を共に可動物干し杆に構成してもよい。
さらに、各物干し枠体２の両第１枠構成体２Ａの間に三本以上の物干し杆を設け、そのうち、１本又は複数本の物干し杆を、吊下げフックＡの横吊下げ位置側とは反対側に位置する一方の第１枠構成体２Ａを揺動支点部にして枠内外方向に揺動自在な可動物干し杆に構成してもよい。
【００６３】
〔その他の実施形態〕
（１）上述の第１実施形態では、吊下げフックＡを備えた取付け基台１１と両物干し枠体２を備えた中央支持部材１との間に、吊下げフックＡを物干し枠Ｂの中心部又は略中心部に位置する中央吊下げ位置から横方向の一側方に偏倚した一つ又は複数の横吊下げ位置に変更自在に取付ける吊下げ位置変更手段Ｃを設けたが、この吊下げ位置変更手段Ｃは、物干し枠Ｂの複数個所に設けられる被吊下げ部と吊下げフックＡとの間に設けられる吊下げ連結部材に、吊下げフックＡの中央吊下げ位置又は横吊下げ位置への位置変更に伴う連結長さを変更する連結長さ変更手段を組付けて構成してもよい。
要するに、吊下げ位置変更手段Ｃとしては、吊下げフックＡを物干し枠Ｂの中心部又は略中心部に位置する中央吊下げ位置から横方向の一側方に偏倚した一つ又は複数の横吊下げ位置に変更することのできるものであれば、如何なる構造のものを採用してもよい。
【００６４】
（２）上述の第１実施形態では、可動物干し杆４０を枠内配置姿勢と枠外配置姿勢とに択一的に保持する姿勢保持手段Ｆを、外部姿勢保持手段Ｆ１と内部姿勢保持手段Ｆ２との二重構造から構成したが、外部姿勢保持手段Ｆ１又は内部姿勢保持手段Ｆ２の一方から構成してもよい。
要するに、姿勢保持手段Ｆとしては、可動物干し杆４０を物干し枠Ｂ内に位置する枠内配置姿勢と物干し枠Ｂの外方に突出位置する枠外配置姿勢とに択一的に保持することのできる構造であればよい。
【００６５】
（３）上述の第１実施形態では、吊下げ部材の一例である吊下げフックＡとして、逆Ｕの字状に構成された主フック部１６Ａと逆Ｌ字状の副フック部１６Ｂとを一体形成してなるフック部材１６を備えた吊下げフックＡを例に挙げて説明したが、逆Ｕの字状に構成された単一のフック部のみを備えた吊下げフックＡであってもよい。
さらに、フック部の開口部を開閉する開閉操作体を備えた吊下げフックＡであってもよい。
要するに、吊下げ部材としては、物干し枠Ｂを物干し竿やロープ等に掛止状態で吊下げることのできるものであればよい。
【００６６】
（４）上述の第１実施形態では、物干し枠Ｂを折り畳み可能な二分割構造の両物干し枠体２から構成したが、折り畳み不能な一体構造の両物干し枠体２から構成してもよい。
【００６７】
（５）上述の第１実施形態では、物干し枠Ｂの平面視における輪郭形状を矩矩環状形に構成したが、長円形等の他の輪郭形状に構成してもよい。
【符号の説明】
【００６８】
Ａ        吊下げ部材（吊下げフック）
Ｂ        物干し枠
Ｃ        吊下げ位置変更手段
Ｆ        姿勢保持手段
２        物干し枠体
２Ａ      第１枠構成体
２Ｂ      第２枠構成体
３０      継手部材
３０Ａ    連結筒部（第１連結筒部）
３７      当たり部
３８      展開姿勢規制部
３９      接地部
４０      可動物干し杆（物干し杆）
４１      物干し杆（固定物干し杆）
４２      係合部
４３Ａ    揺動支点筒部
４４      第１筒状規制部材
４５      第１筒状規制部材
４７      第２筒状規制部材
４８      第２筒状規制部材
【図１】
0006616647.tif 000002
【図２】
0006616647.tif 000003
【図３】
0006616647.tif 000004
【図４】
0006616647.tif 000005
【図５】
0006616647.tif 000006
【図６】
0006616647.tif 000007
【図７】
0006616647.tif 000008
【図８】
0006616647.tif 000009
【図９】
0006616647.tif 000010
【図１０】
0006616647.tif 000011
【図１１】
0006616647.tif 000012
【図１２】
0006616647.tif 000013